(57)【要約】【課題】弁体として機能する球状体の下部に形成される液だまりを安定的に保持することができる二重容器を提案する。【解決手段】本発明の二重容器は、容器の外殻を形成する外層体１０と、収容空間Ｓに通じる上部開口２１を有するとともに外層体１０の内側に収められる減容変形自在な内層体２０と、収容空間Ｓに向けて延びる筒状壁３１の内側に弁体となる球状体Ｂを配してなる中栓３０と、外層体１０の口部１１に装着されるとともに筒状壁３１に連通する注出筒４１を備える注出栓４０とを備え、筒状壁３１は、収容空間Ｓに向けて縮径して球状体Ｂと全周に亘って当接する傾斜壁３５と、傾斜壁３５から収容空間Ｓに向けて突き出す突出壁３６とを備え、突出壁３６は、球状体Ｂの下部に形成される内容物の液だまりＭを保持する液保持手段３７Ａ、３７Ｂ、ｄを備えることを特徴とする。【選択図】図１
2014208542.tif 000002
【特許請求の範囲】
【請求項１】
容器の外殻を形成する外層体と、内容物の収容空間に通じる上部開口を有するとともに該外層体の内側に収められる減容変形自在な内層体と、該上部開口に設けられ、該収容空間に向けて延びる筒状壁の内側に弁体となる球状体を配してなる中栓と、該中栓を覆って該外層体の口部に装着されるとともに該筒状壁に連通する注出筒を備える注出栓と、を備える二重容器であって、
前記筒状壁は、該収容空間に向けて縮径して該球状体と全周に亘って当接する傾斜壁と、該傾斜壁から該収容空間に向けて突き出す突出壁とを備え、
該突出壁は、前記球状体の下部に形成される内容物の液だまりを保持する液保持手段を備える二重容器。
【請求項２】
前記液保持手段は、前記突出壁から収容空間に向けて延在する少なくとも１つのリブである請求項１に記載の二重容器。
【請求項３】
前記リブを複数備えるとともに、これらのリブを前記筒状壁の周方向に沿って等間隔に配置してなる請求項２に記載の二重容器。
【請求項４】
前記液保持手段は、前記突出壁の内周面に設けた段差部である請求項１に記載の二重容器。
【請求項５】
前記段差部は、該突出壁の周方向に沿う環状或いは螺旋状である請求項４に記載の二重容器。
【請求項６】
前記段差部は、該突出壁の周方向に沿う間欠状である請求項４に記載の二重容器。
【発明の詳細な説明】
【技術分野】
【０００１】
本発明は、容器の外殻を形成する外層体と、外層体の内側に収められる減容変形自在な内層体とを備え、内容物の吐出に伴って内層体のみを減容させる二重容器に関するものである。
【背景技術】
【０００２】
化粧水などの化粧料や、シャンプーやリンス或いは液体石鹸、また食品調味料などを収納する容器としては、容器の外殻を形成する外層体と、外層体の内側に収められる減容変形自在な内層体とを備え、外層体に、内外に通じる外気導入用の開口を設けて、内容物の吐出に伴って内層体のみを減容させるようにした二重容器（デラミ容器とも言う）が知られている。
【０００３】
また、内容物の吐出方式としては、外層体の口部に装着したポンプによるものや、外層体の胴部をスクイズすることによるものがあるが、内容物の粘度が比較的低い場合には、容器を傾倒或いは倒立姿勢にすることで、内容物の自重によって吐出させることも可能である。ここで特許文献１には、容器の口部に装着する注出栓内に、容器の姿勢変更に応じて自重で移動する球状体（ボール弁）を設け、容器が起立姿勢にある時は、球状体が注出栓の傾斜壁に当接することで内容物の収容空間に外気が入り込むことを防止する一方、容器を傾倒或いは倒立姿勢にすることで、球状体が注出栓の傾斜壁から移動して、内容物の自重によって吐出することができる二重容器が示されている。
【先行技術文献】
【特許文献】
【０００４】
【特許文献１】特開２０１１−７３７７０号公報
【発明の概要】
【発明が解決しようとする課題】
【０００５】
ところで、内容物の吐出後に容器を起立姿勢に戻した際、図４（ａ）に示すように球状体の下部には表面張力にて液だまりが形成され、これにより球状体と傾斜壁との当接面の乾きを防止している。しかし、容器を移動させたり容器に振動が加わったりして液だまりに軽い衝撃が及ぶと、図４（ｂ）に示すように溜まった液の一部又は全部が落下することがある。このような状況下で時間が経過すると、球状体や傾斜壁に付着した内容物が空気に曝されて乾いてしまい、球状体の移動に支障が出たり、当接面でのシール性が悪くなったりするおそれがある。このため、液だまりをより安定的に保つことができる改良が求められている。
【０００６】
本発明は、このような従来の問題点を解決することを課題とするものであり、その目的は、球状体の下部に形成される液だまりの落下を防止するために、液だまりをより安定的に保持しておくことができる新たな二重容器を提案するところにある。
【課題を解決するための手段】
【０００７】
本発明は、容器の外殻を形成する外層体と、内容物の収容空間に通じる上部開口を有するとともに該外層体の内側に収められる減容変形自在な内層体と、該上部開口に設けられ、該収容空間に向けて延びる筒状壁の内側に弁体となる球状体を配してなる中栓と、該中栓を覆って該外層体の口部に装着されるとともに該筒状壁に連通する注出筒を備える注出栓と、を備える二重容器であって、
前記筒状壁は、該収容空間に向けて縮径して該球状体と全周に亘って当接する傾斜壁と、該傾斜壁から該収容空間に向けて突き出す突出壁とを備え、
該突出壁は、前記球状体の下部に形成される内容物の液だまりを保持する液保持手段を備える二重容器である。
【０００８】
前記液保持手段は、前記突出壁から収容空間に向けて延在する少なくとも１つのリブであることが好ましい。
【０００９】
前記リブを複数備えるとともに、これらのリブを前記筒状壁の周方向に沿って等間隔に配置することが好ましい。
【００１０】
前記液保持手段は、前記突出壁の内周面に設けた段差部であることが好ましい。
【００１１】
前記段差部は、該突出壁の周方向に沿う環状或いは螺旋状であることが好ましく、また、該突出壁の周方向に沿う間欠状であることが好ましい。
【発明の効果】
【００１２】
中栓に設けた筒状壁に、弁体として機能する球状体に対して全周に亘って当接する傾斜壁と、傾斜壁から収容空間に向けて突き出す突出壁とを設け、更に球状体の下部に形成される内容物の液だまりを保持する液保持手段を設けたので、液だまりに軽い衝撃が及んでも、より安定的に保持することができる。ここで液保持手段とは、突出壁から収容空間に向けて延在する少なくとも１つのリブ又は突出壁の内周面に設けた段差部である。
【００１３】
リブを設ける場合は、液だまりが振り子の如く動く揺れを抑制することができ、また、段差部を設ける場合は、これを液だまりに引っ掛けるかの如く作用させることができるので、液だまりは安定的に保持される。
【００１４】
リブを複数設けるものとし、これらを筒状壁の周方向に沿って等間隔に配置する場合は、液だまりを全周に亘って均等に動きにくくすることができるので、より一層安定的に保持することができる。
【００１５】
前述の段差部を、突出壁の周方向に沿う環状或いは螺旋状に設ける場合や突出壁の周方向に沿う間欠状に設ける場合は、引っ掛かりの如き作用を液だまりの全周に亘って及ぼすことができるので、より一層安定的に保持することができる。
【図面の簡単な説明】
【００１６】
【図１】本発明に従う二重容器の一実施形態につき、（ａ）は要部の断面図であり、（ｂ）は、（ａ）で示す矢印Ａに沿う矢視図である。
【図２】図１の二重容器で形成される液だまりを示す説明図である。
【図３】（ａ）〜（ｆ）は、本発明に従う二重容器の他の実施形態を示す部分拡大断面図である。
【図４】従来の容器で形成される液だまりを示す、（ａ）は正常状態の説明図であり、（ｂ）は、溜まった液の一部が落下した状態の説明図である。
【発明を実施するための形態】
【００１７】
以下、図面を参照して、本発明をより具体的に説明する。
図１は、本発明に従う二重容器の一実施形態につき、（ａ）は要部の断面図であり、（ｂ）は、（ａ）で示す矢印Ａに沿う矢視図であって、図２は、図１の二重容器で形成される液だまりを示す説明図である。
【００１８】
図１（ａ）において、符号１は、本発明の二重容器の一実施形態を示す。二重容器１は、容器の外殻を形成する外層体１０と、外層体１０の内側に収められる内層体２０とを備えていて、その上部に中栓３０、注出栓４０、及び蓋体５０とを備えている。本実施形態における二重容器１は、合成樹脂製の外層体１０と、外層体１０に対して相溶性が低い合成樹脂にて形成される内層体２０とを積層させたものであり、これらの合成樹脂素材を積層して形成したパリソンを、ブロー成形することによって得られたものである。また、図示は省略するが、本実施形態において、外層体１０と内層体２０との間には、縦方向に延在して外層体１０と内層体２０とを部分的に接合する１本の接着帯を設けている。なお、接着帯は必要に応じて設けられるものであり、これを設けなくても、また複数本設けてもよい。
【００１９】
外層体１０は、復元自在な可撓性を有するものであり、円筒状の口部１１に胴部１２を連結するとともに、図示を省略した底部を胴部１２に連結したものである。口部１１の外周面には雄ねじ部１３を設けている。なお、図示は省略するが、外層体１０にはその内外を貫通する外気導入孔が形成されている。外気導入孔は、ブロー成形にて底部に形成されるピンチオフ部のスリットを利用するものでも、また、ブロー成形後に口部１１や胴部１２に後加工にて設けるものであってもよい。
【００２０】
内層体２０は、その内側に内容物を充填可能とする収容空間Ｓを形成するとともに、収容空間Ｓに通じる上部開口２１を有するものであり、積層された外層体１０から剥離させることで減容変形させることができる。
【００２１】
中栓３０は、内層体２０の上部開口２１に設けられるものであり、図１（ａ）に示すようにその中央部において起立する筒状壁３１を備えている。また筒状壁３１の径方向外側には、この筒状壁３１の下部と連結するフランジを介して環状壁３２を備えている。環状壁３２の上端縁部には、径方向外側に向けて延在し、口部１１の上端と当接するフランジ部３３を設けている。フランジ部３３の下面には、内層体２０を挟み込んで外層体１０と当接する環状のシール壁３４を設けている。また、筒状壁３１の下端部（収容空間Ｓ側の端部）には、収容空間Ｓに向けて縮径する傾斜壁３５を設けている。更に、傾斜壁３５の下端部（収容空間Ｓ側の端部）には、筒状壁３１と同心となる円筒状の突出壁３６を設けている。なお、突出壁３６は角筒状であってもよい。また突出壁３６には、液保持手段として、その上端面を傾斜壁３５の上面に連続させつつ突出壁３６の内周面より径方向内側に突出するとともに収容空間Ｓに向かって下向きに延在するリブ３７Ａを設けている。ここでリブ３７Ａは、本実施形態では図１（ｂ）に示すように横断面形状が略矩形状となるものであり、突出壁３６の周方向、すなわち筒状壁３１の周方向に沿って等間隔に総計４個設けられている。なお、リブ３７Ａの形状は図示のものに限定されず、例えば横断面形状が三角形や五角形等の多角形状となるものであっても、また円形状となるものであってもよい。また、筒状壁３１の内周面には、周方向に間隔をあけて設けられる複数の縦リブ３８を設けていて、縦リブ３８の上方は径方向内側に向けて突出する凸部３９を設けている。
【００２２】
更に、縦リブ３８の径方向内側には、球状体Ｂ（金属製でも合成樹脂製でもよいが、本実施形態では合成樹脂製としている）を配置している。ここで、球状体Ｂは、二重容器１の姿勢変更に応じて、縦リブ３８に沿って自重にて移動するものであり、図１に示すように二重容器１が起立姿勢にある時は、傾斜壁３５と全周に亘って当接して内層体２０の収容空間Ｓを閉鎖している。なお、前述の凸部３９は、球状体Ｂの上方への抜け止めとして機能する。
【００２３】
注出栓４０は、筒状壁３１に通じるとともに上方に向けて拡径しつつ上端を径方向外側に湾曲させてリップを形成した注出筒４１を備えている。注出筒４１は、径方向外側に向けて延在し、フランジ部３３上に位置する天壁４２に連結している。また、天壁４２の縁部には、口部１１を取り囲む外周壁４３を連結していて、外周壁４３の内周面には、口部１１の雄ねじ部１３に対応する雌ねじ部４４を設けている。これにより注出栓４０は、中栓３０を間に挟んで口部１１にねじ止めされる。なお、注出栓４０を口部１１に装着するに当たっては、アンダーカットを利用してもよい。
【００２４】
蓋体５０は、注出栓４０の上方を覆う頂壁５１の縁部に周壁５２を連結するとともに、周壁５２と外周壁４３とをヒンジ５３を介して連結するものである。なお、ヒンジ５３を設けずに、注出栓４０と蓋体５０とをねじ止めするようにしてもよい。頂壁５１の下面には、注出筒４１の内周面と液密に当接するシール筒５４を設けている。また、シール筒５４の径方向内側には、下方に向けて延びるピン５５を設けている。ピン５５は、球状体Ｂが上方へ変位する際、上限に至る手前で球状体Ｂに当接するように設けられている。これにより、輸送等によって球状体Ｂが勢いよく上方に移動しても、縦リブ３８に設けた凸部３９を乗り越えて外れてしまうことがない。
【００２５】
上記のように構成される二重容器１から内容物を吐出するに当たっては、蓋体５０を開いて二重容器１を傾倒或いは倒立姿勢にすることで、球状体Ｂは注出筒４１側に変位し、収容空間Ｓ内の内容物は自重にて突出壁３６の開口から筒状壁３１内に導入され、隣り合う縦リブ３８の相互間を通り抜けて注出筒４１より吐出される。この際、外層体１０と内層体２０との相互間には前述の外気導入孔を通して外気が導入されるので、外層体１０はその形状を保ったまま、内層体２０のみが減容する。
【００２６】
内容物を吐出した後、二重容器１を起立姿勢に戻すと、球状体Ｂは収容空間Ｓ側に変位する。また、筒状壁３１内の内容物は大部分が収容空間Ｓに戻る一方、図２に示すようにその一部は表面張力によって球状体Ｂの下部に液だまりＭを形成する。本実施形態においては、二重容器１を移動等させて液だまりに軽い衝撃が及んでも、突出壁３６を支点とする液だまりＭの揺れをリブ３７Ａにて抑制することで液だまりＭを動きにくくしているので、より安定的に保持することができる。特に、本実施形態のように、リブ３７Ａを筒状壁３１の周方向に沿って等間隔に配置する場合は、液だまりＭを全周に亘って均等に動きにくくすることができるので、より一層安定的に保持することができる。
【００２７】
液保持手段としては、図１、図２に示すリブ３７Ａの他、図３（ａ）に示すように、その上端面を傾斜壁３５の上面から離隔させ、突出壁３６の内周面より径方向内側に突出するとともに収容空間Ｓに向かって下向きに延在するリブ３７Ｂを設けてもよい。
【００２８】
また図３（ｂ）に示すように、突出壁３６の内周面下端から径方向内側に向けて矩形状に突出する突起３６ａを設け、突出壁３６の内周面と突起３６ａとで形成される段差部ｄを液保持手段とすることもできる。この場合、段差部ｄは液だまりに引っ掛かるかの如く作用するので、液だまりは落下し難くなって安定的に保持される。特に図示のように突出壁３６の周方向に沿って環状に設ける場合（段差部ｄも環状に設けられることになる）は、引っ掛かりの如き作用を液だまりの全周に亘って及ぼすことができるので、液だまりはより落下しにくくなる。なお突起３６ａは、図示のように周方向に連続的に設ける場合の他、例えば図３（ｆ）の突起３６ｄのように、一部を分断して間欠的に設けてもよい（段差部ｄも間欠状に設けられることになる）。なお、図３（ｆ）の突起３６ｄは、突出壁３６の周方向に沿って等間隔で３つ設けられているが、その個数は任意に変更可能である。
【００２９】
また図３（ｃ）に示すように、図３（ｂ）で示した突起３６ａに加えて図３（ａ）で示したリブ３７Ｂを設けてもよい。この場合は、リブ３７Ｂで液だまりの揺れを抑制できる他、段差部ｄとして、突出壁３６の内周面と突起３６ａとで全周に亘って形成される部分のみならず、リブ３７Ｂの上端面が形成する径方向内側に向けて部分的に突出する部分も付加されるので、液だまりは更に安定的に保持される。なお、上掲図３（ａ）の場合も、リブ３７Ｂの上端面を段差部ｄとして機能させることができる。
【００３０】
また図３（ｄ）に示すように、図３（ｂ）で示した突起３６ａを径方向内側に向けて延長して突出壁３６の内周面間を橋渡すように形成されるブリッジ部３６ｂを設けてもよい。この場合は、ブリッジ部３６ｂの上端面を段差部ｄとして機能させることができる。図示の例ではブリッジ部３６ｂは、下面視にて十字状となっているが、放射状であってもよく、また一文字状であってもよい。
【００３１】
また図３（ｅ）に示すように、突出壁３６の内周面に円弧状に突出する環状の突条３６ｃを設けて段差部ｄを形成してもよい。突条３６ｃは、上下方向に間隔をあけて複数設けてもよく、また螺旋状に設けてもよい。更に、周方向に連続的に設ける場合のみならず、一部を分断して間欠的に設けてもよい。
【００３２】
球状体Ｂのサイズは、コストを抑える点でできるだけ小さい方が望ましいものの、サイズが小さくなるにつれて傾斜壁３５との接触域が球状体Ｂの半径方向外側に移っていくため、中栓３０及び球状体Ｂのばらつきによっては、球状体Ｂが収容空間Ｓ内に落下してしまうおそれがある。一方、球状体Ｂのサイズに合わせて傾斜壁３５の先端側の内径を狭くしていくと、内容物の通路も狭められ、内容物をスムーズに排出させることが難しくなる。この場合であっても、例えば図３（ｆ）に示すように、突起３６ｄを間欠状に設けておけば、隣り合う突起３６ｄ間から内容物を排出させることができるので、内容物の通路をそれ程狭くすることなく、球状体Ｂの落下が有効に防止される。
【産業上の利用可能性】
【００３３】
本発明によれば、弁体として機能する球状体の下部に形成される液だまりを安定的に保持することができるので、弁体と傾斜壁との当接面が乾いてしまうことに起因する吐出不良を有効に防止できる新規の二重容器を提供することが可能となる。
【符号の説明】
【００３４】
１  二重容器
１０  外層体
１１  口部
１２  胴部
１３  雄ねじ部
２０  内層体
２１  上部開口
３０  中栓
３１  筒状壁
３２  環状壁
３３  フランジ部
３４  シール壁
３５  傾斜壁
３６  突出壁
３６ａ  突起
３６ｂ  ブリッジ部
３６ｃ  突条
３６ｄ  突起
３７Ａ、３７Ｂ  リブ（液保持手段）
３８  縦リブ
３９  凸部
４０  注出栓
４１  注出筒
４２  天壁
４３  外周壁
４４  雌ねじ部
５０  蓋体
５１  頂壁
５２  周壁
５３  ヒンジ
５４  シール筒
５５  ピン
Ｂ    球状体
Ｍ    液だまり
Ｓ    収容空間
ｄ    段差部（液保持手段）
【図１】
2014208542.tif 000003
【図２】
2014208542.tif 000004
【図３】
2014208542.tif 000005
【図４】
2014208542.tif 000006